(57)【要約】【課題】    あらゆる寸法の建物の躯体に適合出来、施工が容易で、リフォーム等に用いて好適なパネル内壁構造を提供する。【解決手段】  コーナー部材２２は、直交するように隣接配置される二枚の壁パネル部材２４，２４のうち、表層パネル部材２５，２５の端縁２５ａ，２５ａ間が、断面矩形形状で長尺状の接続部材３３を介して、表層パネル部材２５，２５の延設方向が、表面側に凸状となるように直交された状態で、予め突き合わせられて、固着されている。【選択図】図１
2005264517.tif 000002
【特許請求の範囲】
【請求項１】
出隅部又は入隅部に隣接配置される二枚の壁パネル部材の端縁間を、該パネル面の延設
方向が、直交する状態で、予め突き合わせて固着するコーナー部材を有することを特徴と
するパネル内壁構造。
【請求項２】
大版状の壁パネル部材を少なくとも二枚、面延設方向が一致するように、面一に突き合
わせると共に、突き合わせ線を跨いで、開口する開口部を形成して、該開口部の周縁に補
助枠材を装着することを特徴とするパネル内壁構造。
【請求項３】
一対の壁パネル部材を、面延設方向が一致するように、面一に突き合わせると共に、該
突き合わせ線に位置する一方の壁パネル部材の端縁には、他方の壁パネル部材の屋内側面
材の厚み分、該一方の壁パネル部材の屋内側面よりも外側方にオフセットされて、該他方
の壁パネル部材の屋内側面材の外面側を当接させるさね部が形成されていることを特徴と
するパネル内壁構造。
【請求項４】
一対の壁パネル部材間に、該両壁パネル部材の対向端縁に各々形成されて、屋内側面よ
りも外側方にオフセット形成される各さね部に、左，右両縁部の裏面側を各々当接させて
、貼設されることにより、前記両壁パネル部材の屋内側面と面一となる調整面材を有する
ことを特徴とするパネル内壁構造。
【請求項５】
前記コーナー部材の左，右側縁部の少なくとも一方に、平板状の壁パネル部材を連結し
て自立させることを特徴とする請求項１乃至４のうち何れか一項記載のパネル内壁構造。
【請求項６】
前記コーナー部材を、建物内壁部の隅部に配置すると共に、該コーナー部材の左，右側
縁部の少なくとも一方に、平板状の壁パネル部材を固着させることにより連結して、該建
物内壁部への装着とすることを特徴とする請求項１乃至４のうち何れか一項記載のパネル
内壁構造。
【発明の詳細な説明】
【技術分野】
【０００１】
この発明は、屋内に設置されるパネル内壁構造で、特に、施工が容易なパネル内壁構造
に関するものである。
【背景技術】
【０００２】
従来、図１５及び図１６に示すような内壁構造が、知られている（例えば、特許文献１
等参照）。
【０００３】
まず、構成から説明すると、この従来の内壁構造では、建物１の屋内１ａ側の対向配置
される一対の壁部２，２間には、脚部材３，３によって、高さ方向の位置が調整された主
パネル部材４…が、複数枚、間隔を置いて装着されている。
【０００４】
これらの主パネル部材４，４間には、切断容易な材料で構成された補助パネル部材５，
６，７が、面一となるように装着されている。
【０００５】
次に、この従来の内壁構造の作用について説明する。
【０００６】
このように構成された従来の内壁構造では、前記主パネル部材４，４及び、補助パネル
部材５，６，７が、上下方向に分割された状態で、建物１の屋内１ａに搬入されると共に
、施工現場にて、組み立てられる。
【０００７】
前記各補助パネル部材５，６，７は、切断容易な材料で構成されているので、前記各主
パネル部材４，４間の間隔に、幅方向の寸法を適合させて調節されて装着される。
【０００８】
また、図１７及び図１８に示すような内壁構造が、知られている。
【０００９】
このようなものでは、壁面８に形成された窓等の開口部９を囲んで、上側内壁パネル部
材１０，下側内壁パネル部材１１及び左，右内壁パネル部材１２，１２が、装着されてい
る。
【００１０】
そして、この開口部９の周縁には、木桟軸材１３を、断面方向に２等分することにより
形成される枠材１３ａ，１３ａが、前記開口部９の周縁の各寸法に適合させて、切断され
て装着されるように構成されている。
【特許文献１】特開２００２−３２７５０９号公報
【発明の開示】
【発明が解決しようとする課題】
【００１１】
しかしながら、このような従来の内壁構造では、建物１の屋内１ａ側に出隅部や入隅部
が、存在する場合、２枚のパネル状の前記主パネル部材４，４又は、補助パネル部材５…
の対向端縁間を、施工現場で、直交させるように突き合わせて装着しなければならない。
【００１２】
このため、いわゆる「下げ振り」や、「レーザー墨出器」を用いて、所望の精度を確保
しつつ、施工しなければならないので、施工が容易とは言い難かった。
【００１３】
また、下地の建物１の躯体を構成するコンクリート壁に不陸が存在して、精度が良好で
ない場合には、更に、施工が困難であるといった問題があった。
【００１４】
更に、前記窓等の開口部９を囲んで装着される各上側内壁パネル部材１０，下側内壁パ
ネル部材１１及び左，右内壁パネル部材１２，１２等及び、前記各枠材１３ａ，１３ａは
、施工現場で、長手方向の寸法を、前記開口部９の周縁の各寸法に適合するように切断し
なければならず、施工が容易であるとは言い難かった。
【００１５】
そこで、この発明は、あらゆる寸法の建物の躯体に適合出来、施工が容易で、リフォー
ム等に用いて好適なパネル内壁構造を提供することを課題としている。
【課題を解決するための手段】
【００１６】
上記目的を達成するために、本願発明の請求項１記載のものは、出隅部又は入隅部に隣
接配置される二枚の壁パネル部材の端縁間を、該パネル面の延設方向が、直交する状態で
、予め突き合わせて固着するコーナー部材を有するパネル内壁構造を特徴としている。
【００１７】
また、請求項２に記載されたものは、大版状の壁パネル部材を少なくとも二枚、面延設
方向が一致するように、面一に突き合わせると共に、突き合わせ線を跨いで、開口する開
口部を形成して、該開口部の周縁に補助枠材を装着するパネル内壁構造を特徴としている
。
【００１８】
更に、請求項３に記載されたものは、一対の壁パネル部材を、面延設方向が一致するよ
うに、面一に突き合わせると共に、該突き合わせ線に位置する一方の壁パネル部材の端縁
には、他方の壁パネル部材の屋内側面材の厚み分、該一方の壁パネル部材の屋内側面より
も外側方にオフセットされて、該他方の壁パネル部材の屋内側面材の裏面側を当接させる
さね部が形成されているパネル内壁構造を特徴としている。
【００１９】
そして、請求項４に記載されたものは、一対の壁パネル部材間に、該両壁パネル部材の
対向端縁に各々形成されて、屋内側面よりも外側方にオフセット形成される各さね部に、
左，右両縁部の裏面側を各々当接させて、貼設されることにより、前記両壁パネル部材の
屋内側面と面一となる調整面材を有するパネル内壁構造を特徴としている。
【００２０】
また、請求項５に記載されたものは、前記コーナー部材の左，右側縁部の少なくとも一
方に、平板状の壁パネル部材を連結して自立させる請求項１乃至４のうち何れか一項記載
のパネル内壁構造を特徴としている。
【００２１】
更に、請求項６に記載されたものは、前記コーナー部材を、建物内壁部の隅部に配置す
ると共に、該コーナー部材の左，右側縁部の少なくとも一方に、平板状の壁パネル部材を
固着させることにより連結して、該建物内壁部への装着とする請求項１乃至４のうち何れ
か一項記載のパネル内壁構造を特徴としている。
【発明の効果】
【００２２】
このように構成された請求項１記載のものは、前記コーナー部材が、建物内壁部の出隅
部又は入隅部に配置されることにより、施工現場での施工が略完了する。
【００２３】
該コーナー部材は、予め、二枚の壁パネル部材の端縁間が、該パネル面の延設方向で、
直交する状態で突き合わせられて固着されて、良好な精度で、一体に形成されて構成され
ている。
【００２４】
このため、従来のように、いわゆる「下げ振り」や、或いは「レーザー墨出器」等の器
具を用いて、施工現場で突き合わせ無くても、容易に施工出来る。
【００２５】
また、前記コーナー部材は、予め良好な精度で、直交する状態で突き合わせて固定する
ことが可能で、所望の精度を容易に確保して、良好な仕上げ状態を得ることが出来る。
【００２６】
そして、請求項２に記載されたものは、建物の壁面開口部に、大版状の壁パネル部材を
少なくとも二枚、面延設方向が一致するように、面一に突き合わせられて、貼設される。
【００２７】
次に、前記建物の壁面開口部に合わせて、該壁パネル部材の突き合わせ線を跨いで、開
口部が、開口形成される。
【００２８】
そして、該開口部の周縁に補助枠材が装着されて、施工を略完了する。
【００２９】
このように、前記開口部を前記建物の壁面開口部に合わせて、施工現場で開口形成する
ことにより、あらゆる形状、及び寸法の壁面開口部に対応させることができる。
【００３０】
更に、請求項３に記載されたものは、前記一方のパネル部材のさね部に、隣接配置され
る前記他方の壁パネル部材の屋内側面材の裏面側が当接されて、装着される。
【００３１】
該さね部は、該一方の壁パネル部材の屋内側面よりも外側方にオフセットされているの
で、前記屋内側面材の裏面側を当接させるだけで、両方の壁パネル部材の屋内側面材が、
面一となる。
【００３２】
このため、下地のコンクリート躯体等に、不陸が存在しても、調整が不要で、施工が容
易である。
【００３３】
そして、請求項４に記載されたものは、前記調整面材が、一対の壁パネル部材間の寸法
に合わせて、切断等、加工されると共に、該調整面材が、一対の壁パネル部材間に、該両
壁パネル部材の対向端縁に各々形成されて、屋内側面よりも外側方にオフセット形成され
る各さね部に、左，右両縁部の裏面側を各々当接させて、貼設される。
【００３４】
前記壁パネル部材及び該調整面材は、屋内側面が面一となるので、良好な仕上げを容易
に得られる。
【００３５】
また、調整面材を切断して、壁パネル部材間の寸法を調整出来るので、前記壁パネル部
材の寸法調整が不要となり、一定寸法で構成される定規格の壁パネル部材を用いることに
より、製造コストの上昇を抑制できる。
【００３６】
そして、請求項５に記載されたものは、前記コーナー部材の左，右側縁部の少なくとも
一方に、平板状の壁パネル部材が、連結されて自立されるように出来る。
【００３７】
このため、自立する内壁部分を拡大させることが出来る。従って、前記壁パネル部材が
連結された該コーナー部材を自立させて、転倒防止の為に押さえる等の作業が不要となり
、該壁パネル部材の建物躯体への固定を一人の施工者で行うことが出来る。
【００３８】
更に、請求項６に記載されたものは、前記コーナー部材が、建物内壁部の隅部に配置さ
れて、該コーナー部材の左，右側縁部の少なくとも一方に、平板状の壁パネル部材が固着
されることにより連結されて、該建物内壁部への装着となる。
【００３９】
このため、該内壁部で、四方の周囲を囲んだり、前記壁パネル部材の存在しない箇所は
、梁材で連結したり等、該内壁部全体の端部を建物躯体に固定すれば、内壁部の固定は、
概略完了させることが出来る。
【００４０】
この際、前記建物躯体に直接、前記壁パネル部材を固定する必要が無いので、建物躯体
を傷つけたりしない。また、建物躯体に固定する際に、傷が付くとしても一端の一部のみ
で、概略施工を完了させることが出来る。
【発明を実施するための最良の形態】
【００４１】
次に、図面に基づいて、この発明を実施するための最良の実施の形態のパネル内壁構造
を説明する。
【００４２】
なお、前記従来例と同一乃至均等な部分については同一符号を付して説明する。
【００４３】
図１乃至図１４は、この発明の最良の実施の形態のパネル内壁構造を説明するものであ
る。
【００４４】
まず、この実施の形態のパネル内壁構造の構成を説明すると、この発明の実施の形態で
は、建物１の屋内１ａ側の内壁部２０に用いられて、内壁部２０の表層材として用いられ
る大版状の壁パネル部材１４が、平板状を呈する屋内側面材としての表層パネル部材１５
の裏面側の外周縁に、断面矩形形状で長尺状の上，下枠材１６，１６及び左，右枠材１７
，１７が、上，下縁及び左，右縁に各々固着されて、主に構成されている。
【００４５】
そして、この左，右枠材１７，１７のうち、少なくとも何れか一方には、この左，右枠
材１７と、略同一寸法を有する断面矩形形状で長尺状のさね部としてのさね部材１８が、
固着されている。
【００４６】
このさね部材１８は、前記左，右枠材１７，１７の外側面に、面内外方向の位置を同一
として固着されることにより、前記表層パネル部材１５の厚み分、一方の壁パネル部材１
４の屋内側面よりも外側方にオフセットされて、他方の壁パネル部材１４の表層パネル部
材１５の裏面側が当接させるように、形成されている。
【実施例１】
【００４７】
このうち、図１乃至図６は、この発明の最良の実施の形態の実施例１のパネル内壁構造
を説明するものである。
【００４８】
この実施例１では、前記内壁部２０のうち、出隅部２１に装着されるコーナー部材２２
が設けられているものを示している。
【００４９】
このコーナー部材２２は、直交するように隣接配置される二枚の壁パネル部材２４，２
４のうち、表層パネル部材２５，２５の端縁２５ａ，２５ａ間が、断面矩形形状で長尺状
の接続部材２３を介して、表層パネル部材２５，２５の延設方向が、表面側に凸状に直交
する状態で、予め突き合わせられて、固着されている。
【００５０】
このコーナー部材２２には、表層パネル部材１５の裏面側の外周縁に、断面矩形形状で
長尺状の上，下枠材２６，２６及び左，右枠材２７，２７が、上，下縁及び左，右縁に各
々固着されて、主に構成されている。
【００５１】
そして、この左，右枠材２７，２７のうち、少なくとも何れか一方には、この左，右枠
材２７と、略同一寸法を有する断面矩形形状で長尺状のさね部材２８が、固着されている
。
【００５２】
このさね部材２８は、前記左，右枠材２７，２７の外側面に、面内外方向の位置を同一
として固着されることにより、前記表層パネル部材２５の厚み分、屋内側面よりも外側方
にオフセットされていて、隣接貼設される他の壁パネル部材１４の表層パネル部材１５の
端縁１５ａの裏面側が当接させるように形成されている。
【００５３】
また、この実施例１では、図３乃至図６に示すように、一対の表層パネル部材１５，２
５間に、これらの両表層パネル部材１５，２５に跨って、調整面材としての調整表層パネ
ル部材３０が設けられている。
【００５４】
この調整表層パネル部材３０は、前記表層パネル部材１５，２５と略同様の材質で構成
されて、容易に切断加工可能で、前記各壁パネル部材１４，２４の対向端縁１４ａ，２４
ａに各々形成されて、屋内側面よりも外側方にオフセット形成される各さね部１８，２８
に、左，右両縁部３０ａ，３０ａの裏面側を各々当接させて、貼設されることにより、貼
設状態では、前記両壁パネル部材１４，２４の表層パネル部材１５，２５の屋内側面と面
一となるように構成されている。
【００５５】
次に、この実施の形態の実施例１のパネル内壁構造の作用について説明する。
【００５６】
このように構成された実施例１のパネル内壁構造では、まず、建物内壁部２０の出隅部
２１に、前記コーナー部材２２が、平面部に前記壁パネル部材１４，１４が各々配置され
る。
【００５７】
次に、適当な寸法に切断された前記調整表層パネル部材３０が、図３及び図４に示すよ
うに、屋内側面よりも外側方にオフセット形成される各さね部１８，２８に、左，右両縁
部３０ａ，３０ａの裏面側を各々当接させて、貼設されることにより、図５及び図６に示
されるように、内壁部２０表層の施工現場での施工が略完了する。
【００５８】
このうち、コーナー部材２２は、予め、二枚の壁パネル部材２４，２４の表層パネル部
材２５，２５の端縁２５ａ，２５ａ間が、これらの表層パネル部材２５，２５の延設方向
で、直交する状態で突き合わせられて固着されて、良好な精度で、一体に形成されて構成
されている。
【００５９】
このため、従来のように、いわゆる「下げ振り」や、或いは「レーザー墨出器」等の器
具を用いて、施工現場で突き合わせ無くても、容易に施工出来る。
【００６０】
また、前記コーナー部材２２は、前記接続部材２３によって、予め良好な精度で、直交
する状態で突き合わせて固定することが可能で、所望の精度を容易に確保して、良好な仕
上げ状態を得ることが出来る。
【００６１】
しかも、この実施例１では、前記コーナー部材２２が、予め工場等で、二枚の壁パネル
部材２４，２４が、直交されるように突き合わせられて一体に固着されているので、スト
ック、搬送状態及び施工現場では、立てた状態で保管出来る。このため、更に使用利便性
が良好である。
【００６２】
更に、この実施例１では、、前記一方の壁パネル部材１４又は２４のさね部材１８，２
８に、隣接配置される前記他方の壁パネル部材１４又は２４の表層パネル部材１５又は２
５の側縁部裏面側が当接されて、装着される。
【００６３】
これらのさね部２８は、一方の壁パネル部材１４又は２４の屋内側面よりも外側方に、
表層パネル部材１５又は２５の厚み分、オフセットされているので、前記表層パネル部材
１５又は２５の裏面側を当接させるだけで、両方の壁パネル部材１４又は２４の屋内側面
材１５又は２５が、面一となる。
【００６４】
このため、下地のコンクリート躯体等に、不陸が存在しても、調整が不要で、施工が容
易である。
【００６５】
そして、前記調整表層パネル部材３０が、一対の壁パネル部材１４，２４間の寸法に合
わせて、切断等、加工されると共に、この調整表層パネル部材３０が、一対の壁パネル部
材１４，２４間に、これらの両壁パネル部材１４，２４の対向端縁１４ａ，２４ａに各々
形成されて、屋内側面よりも外側方にオフセット形成される各さね部材１８，２８に、左
，右両縁部３０ａ，３０ａの裏面側を各々当接させて、貼設される。
【００６６】
このため、前記壁パネル部材１４，２４及び調整表層パネル部材３０は、図５又は図６
に示すように、屋内側面が面一となるので、良好な仕上げを容易に得られる。
【００６７】
また、調整表層パネル部材３０を切断して、壁パネル部材１４，１４間又は１４，２４
間の寸法を調整出来るので、前記壁パネル部材１４，２４の寸法調整が不要となり、一定
寸法で構成される定規格の壁パネル部材１４又は、２４等が用いられることにより、製造
コストの上昇を抑制できる。
【実施例２】
【００６８】
図７乃至図１２は、この発明の最良の実施の形態の実施例２のパネル内壁構造を説明す
るものである。
【００６９】
この実施例２では、前記内壁部２０のうち、入隅部２１に装着されるコーナー部材３２
が設けられているものを示している。
【００７０】
このコーナー部材３２は、直交するように隣接配置される二枚の壁パネル部材２４，２
４のうち、表層パネル部材２５，２５の端縁２５ａ，２５ａ間が、断面矩形形状で長尺状
の接続部材３３を介して、表層パネル部材２５，２５の延設方向が、表面側に凹状となる
ように直交された状態で、予め突き合わせられて、固着されている。
【００７１】
このコーナー部材３２には、表層パネル部材１５の裏面側の外周縁に、断面矩形形状で
長尺状の上，下枠材２６，２６及び左，右枠材２７，２７が、上，下縁及び左，右縁に各
々固着されて、主に構成されている。
【００７２】
そして、この左，右枠材２７，２７のうち、少なくとも何れか一方には、この左，右枠
材２７と、略同一寸法を有する断面矩形形状で長尺状のさね部材２８が、固着されている
。
【００７３】
このさね部材２８は、前記左，右枠材２７，２７の外側面に、面内外方向の位置を同一
として固着されることにより、前記表層パネル部材２５の厚み分、屋内側面よりも外側方
にオフセットされていて、隣接貼設される他の壁パネル部材１４の表層パネル部材１５の
端縁１５ａの裏面側が当接させるように形成されている。
【００７４】
また、この実施例２では、図９乃至図１２に示すように、一対の壁パネル部材１４，２
４間に、これらの両壁パネル部材１４，２４に跨って、調整面材としての調整表層パネル
部材３０が設けられている。
【００７５】
この調整表層パネル部材３０は、前記表層パネル部材１５，２５と略同様の材質で構成
されて、容易に切断加工可能で、前記各壁パネル部材１４，２４の対向端縁１４ａ，２４
ａに各々形成されて、屋内側面よりも外側方にオフセット形成される各さね部材１８，２
８に、左，右両縁部３０ａ，３０ａの裏面側を各々当接させて、貼設されることにより、
貼設状態では、前記両壁パネル部材１４，２４の表層パネル部材１５，２５の屋内側面と
面一となるように構成されている。
【００７６】
次に、この実施例２のパネル内壁構造の作用について説明する。
【００７７】
このように構成された実施例２のパネル内壁構造では、まず、建物内壁部２０の入隅部
３１に、前記コーナー部材３２が、平面部に前記壁パネル部材１４，１４が各々配置され
る。
【００７８】
次に、適当な寸法に切断された前記調整表層パネル部材３０が、図９及び図１０に示す
ように、屋内側面よりも外側方にオフセット形成される各さね部１８，２８に、左，右両
縁部３０ａ，３０ａの裏面側を各々当接させて、貼設されることにより、図１１び図１２
に示されるように、内壁部の表層の施工現場での施工が略完了する。
【００７９】
また、前記コーナー部材２２の左，右側縁部の少なくとも一方に、平板状の壁パネル部
材２４，２４を連結して自立させると、自立する内壁部分を、コーナー部材２２の部分の
みならず、左，右側縁部の平板状の壁パネル部材２４，２４まで、拡大させることが出来
る。
【００８０】
従って、施工者が一人である場合等、前記壁パネル部材２４，２４が連結されたコーナ
ー部材２２を自立させて、転倒防止の為に押さえる等の作業が不要となり、壁パネル部材
２４，２４の建物躯体への固定を一人の施工者で行うことが出来る。
【００８１】
更に、前記コーナー部材２２又は３２を、建物内壁部の出隅部２１又は入隅部３１に配
置すると共に、これらのコーナー部材２２又は３２の左，右側縁部の少なくとも一方に、
平板状の壁パネル部材２４を固着させることにより連結して、建物内壁部への装着とする
ことができる。
【００８２】
このため、これらの内壁部で、四方の周囲を囲んだり、前記壁パネル部材２４の存在し
ない箇所は、梁材で連結したり等、内壁部全体の端部を、建物躯体に固定すれば、内壁部
の固定は、概略完了させることが出来る。
【００８３】
この際、前記建物躯体に直接、前記壁パネル部材２４を固定する必要が無いので、建物
躯体を傷つけたりしない。また、建物躯体に固定する際に、傷が付くとしても一端の一部
のみで、概略施工を完了させることが出来る。
【００８４】
他の構成及び作用効果については、前記実施例１と同一乃至均等であるので、説明を省
略する。
【実施例３】
【００８５】
図１３乃至図１４は、この発明の最良の実施の形態の実施例３のパネル内壁構造を説明
するものである。
【００８６】
この実施例３では、建物１の壁面８に開口形成された開口部９に、大版状の壁パネル部
材４０，４０を少なくとも二枚、面延設方向が一致するように、面一に突き合わせて、貼
設されている。
【００８７】
また、これらの壁パネル部材４０，４０の突き合わせ線４１を跨いで、開口する開口部
４２を、これらの壁パネル部材４０，４０が、施工現場で切断加工されることにより、形
成されている。
【００８８】
そして、図１４に示すように、この開口部４２の周縁に、上，下及び左，右補助枠材４
３，４３及び４４，４４が装着されるように構成されている。
【００８９】
次に、この実施例３のパネル内壁構造の作用について説明する。
【００９０】
このように構成された実施例３のパネル内壁構造では、建物１の壁面開口部９に、大版
状の壁パネル部材４０，４０が少なくとも二枚、面延設方向が一致するように、面一に突
き合わせられて、貼設される。
【００９１】
次に、図１３中二点鎖線で示すように、前記建物１の壁面開口部９に合わせて、壁パネ
ル部材４０，４０の突き合わせ線４１を跨いで、図１４に示すような開口部４２が、開口
形成される。
【００９２】
そして、この開口部４２の周縁に、前記上，下及び左，右補助枠材４３，４３及び４４
，４４が装着されて、施工を略完了する。
【００９３】
この際、前記従来のように、開口部の周縁に装着される枠材を切断成形する必要がなく
、前記上，下及び左，右補助枠材４３，４３及び４４，４４を、断面矩形形状のまま、用
いることができる。
【００９４】
このように、前記開口部４２が、前記建物１の壁面開口部９に合わせて、施工現場で開
口形成されることにより、あらゆる形状、及び寸法の壁面開口部９に対応させることが出
来、コンクリートスラブ等の躯体を有するＲＣ造マンションの内装リフォーム等に用いて
好適である。
【００９５】
他の構成及び作用効果については、前記実施例１，２と同一乃至均等であるので、説明
を省略する。
【００９６】
以上、図面を参照して、本発明の実施の形態を詳述してきたが、具体的な構成は、この
実施の形態に限らず、本発明の要旨を逸脱しない程度の設計的変更は、本発明に含まれる
。
【００９７】
即ち、前記実施の形態では、前記コーナー部材２２が、直交するように隣接配置される
二枚の壁パネル部材２４，２４を、左，右略対称に突き合わせて、固着されているものを
示して説明してきたが、特にこれに限らず、例えば、左，右何れか一方の壁パネル部材が
、他方の壁パネル部材に比して広い横幅方向の寸法を有して、左，右非対称とする等、表
層パネル部材２５，２５の延設方向が、直交する状態で、一体に固定されるものであれば
、どのような形状、数量及び材質であってもよい。
【図面の簡単な説明】
【００９８】
【図１】この発明の実施の形態の実施例１のパネル内壁構造で、構成を説明する分解斜視図である。
【図２】実施例１のパネル内壁構造で、建物の内壁出隅部にコーナー部材を装着した状態での一部断面上面図である。
【図３】実施例１のパネル内壁構造で、調整面材を装着する様子を説明する分解斜視図である。
【図４】実施例１のパネル内壁構造で、建物の内壁出隅部近傍に調整面材を装着した状態での一部断面上面図である。
【図５】実施例１のパネル内壁構造で、調整面材が装着された様子を説明する出隅部の斜視図である。
【図６】実施例１のパネル内壁構造で、建物の内壁出隅部に各壁パネルが装着された状態での一部断面上面図である。
【図７】この発明の実施の形態の実施例２のパネル内壁構造で、構成を説明する分解斜視図である。
【図８】実施例２のパネル内壁構造で、建物の内壁入隅部にコーナー部材を装着した状態での一部断面上面図である。
【図９】実施例２のパネル内壁構造で、建物の内壁入隅部近傍に調整面材を装着する様子を説明する分解斜視図である。
【図１０】実施例２のパネル内壁構造で、建物の内壁入隅部近傍に調整面材を装着する様子を説明する一部断面上面図である。
【図１１】実施例２のパネル内壁構造で、調整面材が装着された様子を説明する出隅部の斜視図である。
【図１２】実施例２のパネル内壁構造で、建物の内壁出隅部に各壁パネルが装着された状態での一部断面上面図である。
【図１３】実施の形態の実施例３のパネル内壁構造で、壁パネル部材を壁面開口部に貼設した状態での屋内側から見た正面図である。
【図１４】実施例３のパネル内壁構造で、壁パネル部材に、壁面開口部に合わせて開口部を開口形成した状態での屋内側から見た正面図である。
【図１５】一従来例の内壁構造で、内側面材を取り外した状態での内壁パネル部材の構成を説明する室内側から見た正面図である。
【図１６】一従来例の内壁構造で、内壁パネル部材を、建物の内壁に装着した様子を説明する室内側から見た正面図である。
【図１７】他の従来例のパネル内壁構造で、開口部が設けられている内壁部の室内側から見た正面図である。
【図１８】他の従来例のパネル内壁構造で、開口部の周縁に装着される枠材の切断成形を説明する模式的な斜視図である。
【符号の説明】
【００９９】
１              建物
１ａ            屋内
１４，２４      壁パネル部材
１４ａ，２４ａ  対向端縁
１５，２５      表層パネル部材
２０            内壁部
２１            出隅部
２２            コーナー部材
１８，２８      さね材（さね部）
３０            調整表層パネル部材（調整面材）
３１            入隅部
４０，４０      壁パネル部材
４１            突き合わせ線
４２            開口部
４３，４３      上，下補助枠材
４４，４４      左，右補助枠材
【図１】
2005264517.tif 000003
【図２】
2005264517.tif 000004
【図３】
2005264517.tif 000005
【図４】
2005264517.tif 000006
【図５】
2005264517.tif 000007
【図６】
2005264517.tif 000008
【図７】
2005264517.tif 000009
【図８】
2005264517.tif 000010
【図９】
2005264517.tif 000011
【図１０】
2005264517.tif 000012
【図１１】
2005264517.tif 000013
【図１２】
2005264517.tif 000014
【図１３】
2005264517.tif 000015
【図１４】
2005264517.tif 000016
【図１５】
2005264517.tif 000017
【図１６】
2005264517.tif 000018
【図１７】
2005264517.tif 000019
【図１８】
2005264517.tif 000020